(57)【特許請求の範囲】
【請求項１】
データを無線通信するよう構成された要求局であって、当該要求局は：
最終測定レポート指示要求と一緒に測定レポート要求を生成する段階であって、前記測定レポート要求は測定レポート応答を要求するものであり、前記最終測定レポート指示要求は前記測定レポート応答における最終測定レポート指示を要求するものであり、前記最終測定レポート指示は、前記測定レポート応答の一つまたは複数の無線管理フレームのうちの最後のものにおいては第一の値に設定され、前記測定レポート応答の前記一つまたは複数の無線管理フレームのうちの他のものにおいては第二の値に設定される、段階と、前記最終測定レポート指示要求と一緒に前記測定レポート要求を、無線管理フレーム内にエンコードする段階とを実行するよう構成された一つまたは複数のプロセッサと；
エンコードされた無線管理フレームを送信するよう構成された送信器と；
前記一つまたは複数のプロセッサによって実行されたときに前記測定レポート要求の生成を含むデータリンク層制御を実装する一つまたは複数の命令およびデータを記憶するよう構成された一つまたは複数のメモリとを有する、
要求局。
【請求項２】
前記要求局がアクセスポイントである、請求項１記載の要求局。
【請求項３】
前記測定レポート要求がビーコン・レポート、スペクトル・レポート、無線測定レポート、近傍局測定レポート、チャネル測定レポートおよび送信ストリーム測定レポートのうちの一つを含む、請求項１記載の要求局。
【請求項４】
前記無線管理フレームが米国電気電子技術者協会802.11プロトコル規格準拠の無線管理フレームである、請求項１記載の要求局。
【請求項５】
前記測定レポート要求がビーコン・レポート要求を含み；
前記最終測定レポート指示要求が最終ビーコン・レポート指示要求を含む、
請求項１記載の要求局。
【請求項６】
前記最終ビーコン・レポート指示要求は、前記ビーコン・レポート要求の1の長さフィールドをもつ所与のサブ要素としてエンコードされる、請求項５記載の要求局。
【請求項７】
前記ビーコン・レポート要求における1の値をもつ前記所与のサブ要素は、前記最終ビーコン・レポート指示要求の存在を示し；
前記ビーコン・レポート要求における0の値をもつ前記所与のサブ要素は、前記最終ビーコン・レポート指示要求の不在を示す、
請求項６記載の要求局。
【請求項８】
一つまたは複数の無線管理フレームを受信するための一つまたは複数の受信器をさらに有する、請求項１記載の要求局であって、
前記一つまたは複数のプロセッサはさらに、一つまたは複数の測定レポート応答を含む受信された一つまたは複数の無線管理フレームをデコードするよう構成されており、最終測定レポート指示が所与の測定レポート応答に含まれており、
前記一つまたは複数のメモリが、デコードされた前記一つまたは複数の測定レポート応答を記憶するよう構成されている、
要求局。
【請求項９】
前記一つまたは複数のプロセッサがさらに、前記最終測定レポート指示を含む前記所与の測定レポート応答まで、所与の応答局からの前記受信された一つまたは複数の無線管理フレームをデコードするよう構成されており、
前記一つまたは複数のメモリが、前記最終測定レポート指示を含んでいた測定レポート応答まで、前記所与の応答局からのデコードされた前記一つまたは複数の測定レポート応答を記憶するよう構成されている、
ことをさらに含む、請求項８記載の要求局。
【請求項１０】
データを無線通信するよう構成された報告局であって、当該報告局は：
無線管理フレームを受信するよう構成された一つまたは複数の受信器と；
一つまたは複数のプロセッサであって：
受信された前記無線管理フレームから最終測定レポート指示要求と一緒の測定レポート要求をデコードする段階であって、前記測定レポート要求は測定レポート応答を要求するものであり、前記最終測定レポート指示要求は前記測定レポート応答における最終測定レポート指示を要求するものである、段階を実行し、
デコードされた測定レポート要求に応答して一つまたは複数のパラメータを測定し、
前記一つまたは複数の測定されたパラメータを、一つまたは複数の無線管理フレームでの測定レポート応答の一つまたは複数のレポート要素内にエンコードするよう構成されており、前記一つまたは複数の無線管理フレームにおける所与のレポート要素は、前記一つまたは複数の無線管理フレームのうちの最後のものにおいては第一の値に設定され、前記一つまたは複数の無線管理フレームのうちの他のものにおいては第二の値に設定された最終測定レポート指示を含む、プロセッサと；
前記一つまたは複数の測定されたパラメータを記憶するよう構成された一つまたは複数のメモリ・インターフェースと；
エンコードされた一つまたは複数の無線管理フレームを送信するよう構成された一つまたは複数の送信器とを有する、
報告局。
【請求項１１】
前記最終測定レポート指示が、前記所与のレポート要素のフィールド内にエンコードされる、請求項１０記載の報告局。
【請求項１２】
前記最終測定レポート指示が、前記無線管理フレームのレポートのフィールド内にエンコードされる、請求項１０記載の報告局。
【請求項１３】
前記一つまたは複数の無線管理フレームにおける各レポート要素が、前記最終測定レポート指示をエンコードするよう構成可能なフィールドを含む、請求項１０記載の報告局。
【請求項１４】
それぞれの型の測定レポートが、前記最終測定レポート指示をエンコードするよう構成可能なフィールドを含む、請求項１０記載の報告局。
【請求項１５】
前記測定レポート応答がビーコン・レポート応答を含み、
前記最終測定レポート指示が最終ビーコン・レポート指示を含む、
請求項１０記載の報告局。
【請求項１６】
前記最終ビーコン・レポート指示は、前記ビーコン・レポート応答の1の長さフィールドをもつ所与のサブ要素としてエンコードされる、請求項１５記載の報告局。
【請求項１７】
前記ビーコン・レポート応答における1の値をもつ前記所与のサブ要素は、前記最終ビーコン・レポート指示の存在を示し；
前記ビーコン・レポート応答における0の値をもつ前記所与のサブ要素は、前記最終ビーコン・レポート指示の不在を示す、
請求項１６記載の報告局。
【請求項１８】
データを無線通信する方法であって：
要求局において、最終測定レポート指示要求をもつ測定レポート要求を生成する段階であって、前記測定レポート要求は測定レポート応答を要求するものであり、前記最終測定レポート指示要求は前記測定レポート応答における最終測定レポート指示を要求するものであり、前記最終測定レポート指示は、前記測定レポート応答の一つまたは複数の無線管理フレームのうちの最後のものにおいては第一の値に設定され、前記測定レポート応答の前記一つまたは複数の無線管理フレームのうちの他のものにおいては第二の値に設定される、段階と；
前記要求局において、前記最終測定レポート指示要求と一緒に前記測定レポート要求を、無線管理フレーム内にエンコードする段階と；
前記要求局から、エンコードされた無線管理フレームを送信する段階とを含む、
方法。
【請求項１９】
前記測定レポート要求がビーコン・レポート要求を含み；
前記最終測定レポート指示要求が最終ビーコン・レポート指示要求を含む、
請求項１８記載の方法。
【請求項２０】
前記ビーコン・レポート要求における1の値をもつ所与のサブ要素が、前記最終ビーコン・レポート指示要求の存在を示し、
前記ビーコン・レポート要求における0の値をもつ前記所与のサブ要素が、前記最終ビーコン・レポート指示要求の不在を示す、
請求項１９記載の方法。
【請求項２１】
報告局において、エンコードされた前記無線管理フレームを受信する段階と；
前記報告局において、受信された前記無線管理フレームから前記最終測定レポート指示要求をもつ前記測定レポート要求をデコードする段階と；
前記報告局において、デコードされた測定レポート要求に応答して一つまたは複数のパラメータを測定する段階と；
前記報告局において、前記一つまたは複数の測定されたパラメータを、一つまたは複数の無線管理フレームでの測定レポート応答の一つまたは複数のレポート要素内にエンコードする段階であって、前記一つまたは複数の無線管理フレームにおける所与のレポート要素は、前記一つまたは複数の無線管理フレームのうちの最後のものにおいては第一の値に設定され、前記一つまたは複数の無線管理フレームのうちの他のものにおいては第二の値に設定された最終測定レポート指示を含む、段階と；
前記報告局によって、エンコードされた一つまたは複数の無線管理フレームを送信する段階とをさらに含む、
請求項２０記載の方法。
【請求項２２】
前記測定レポートがビーコン・レポートを含み、
前記最終測定レポート指示が最終ビーコン・レポート指示を含み、ここで、1の値をもつ所与のサブ要素は、前記最終ビーコン・レポート指示の存在を示し、0の値は、前記最終ビーコン・レポート指示の不在を示す、
請求項２１記載の方法。
【請求項２３】
前記要求局において、前記一つまたは複数の無線管理フレームを受信する段階と；
前記要求局において、測定レポート応答を含む受信された一つまたは複数の無線管理フレームをデコードする段階であって、最終測定レポート指示が所与の測定レポート応答に含まれている、段階と；
前記要求局において、一つまたは複数の受信された測定レポート要素に基づいて、一つまたは複数の無線通信リンク上で通信するための一つまたは複数のパラメータを構成設定する段階とをさらに含む、
請求項２２記載の方法。
【請求項２４】
データを無線通信するよう構成された要求局であって、当該要求局は：
測定レポート応答期間要求および最終測定レポート指示要求と一緒に測定レポート要求を生成する段階であって、前記測定レポート要求は測定レポート応答を要求するものであり、前記最終測定レポート指示要求は前記測定レポート応答における最終測定レポート指示を要求するものであり、前記最終測定レポート指示は、前記測定レポート応答の一つまたは複数の無線管理フレームのうちの最後のものにおいては第一の値に設定され、前記測定レポート応答の前記一つまたは複数の無線管理フレームのうちの他のものにおいては第二の値に設定される、段階と、前記測定レポート応答期間要求および前記最終測定レポート指示要求と一緒に前記測定レポート要求を、無線管理フレーム内にエンコードする段階とを実行するよう構成された一つまたは複数のプロセッサと；
エンコードされた無線管理フレームを送信するよう構成された送信器と；
前記一つまたは複数のプロセッサによって実行されたときに前記測定レポート要求の生成を含むデータリンク層制御を実装する一つまたは複数の命令およびデータを記憶するよう構成された一つまたは複数のメモリとを有する、
要求局。
【請求項２５】
一つまたは複数の無線管理フレームを受信するための一つまたは複数の受信器をさらに有する、請求項２４記載の要求局であって、
前記一つまたは複数のプロセッサはさらに、一つまたは複数の受信された無線管理フレームから、測定レポート応答の一つまたは複数のレポート要素内の一つまたは複数のパラメータをデコードするよう構成されており、
前記一つまたは複数のメモリが、デコードされた測定レポート応答を記憶するよう構成されている、
要求局。
【請求項２６】
前記測定レポート要求がビーコン・レポート要求を含み；
前記測定レポート応答期間要求がビーコン・レポート応答期間要求を含む、
請求項２５記載の要求局。
【請求項２７】
前記ビーコン・レポート応答期間要求は、前記ビーコン・レポート要求の第一の所与のサブ要素としてエンコードされる、請求項２６記載の要求局。
【請求項２８】
前記第一の所与のサブ要素が、前記ビーコン・レポート応答期間要求の期間の数をエンコードする、請求項２７記載の要求局。
【請求項２９】
前記期間の数がクロックサイクルの数である、請求項２８記載の要求局。
【請求項３０】
前記一つまたは複数のプロセッサがさらに、前記一つまたは複数の測定レポート応答を含む受信された一つまたは複数の無線管理フレームをデコードするよう構成されており、最終測定レポート指示が所与の測定レポート応答に含まれている、
請求項２５記載の要求局。
【請求項３１】
前記最終測定レポート指示要求が最終ビーコン・レポート指示要求を含む、
請求項３０記載の要求局。
【請求項３２】
前記最終ビーコン・レポート指示要求が、前記ビーコン・レポート要求の1の長さフィールドをもつ所与のサブ要素としてエンコードされる、請求項３１記載の要求局。
【請求項３３】
前記ビーコン・レポート要求における1の値をもつ前記第二の所与のサブ要素は、前記最終ビーコン・レポート指示要求の存在を示し；
前記ビーコン・レポート要求における0の値をもつ前記第二の所与のサブ要素は、前記最終ビーコン・レポート指示要求の不在を示す、
請求項３２記載の要求局。
【請求項３４】
データを無線通信するよう構成された報告局であって、当該報告局は：
無線管理フレームを受信するよう構成された一つまたは複数の受信器と；
一つまたは複数のプロセッサであって：
受信された前記無線管理フレームから測定レポート応答期間要求および最終測定レポート指示要求と一緒の測定レポート要求をデコードし、
デコードされた測定レポート要求に応答して一つまたは複数のパラメータを測定し、
前記一つまたは複数の測定されたパラメータを、一つまたは複数の無線管理フレームでの測定レポート応答の一つまたは複数のレポート要素内にエンコードするよう構成されている、プロセッサであって、前記一つまたは複数の無線管理フレームにおける所与のレポート要素は、前記一つまたは複数の無線管理フレームのうちの最後のものにおいては第一の値に設定され、前記一つまたは複数の無線管理フレームのうちの他のものにおいては第二の値に設定される最終測定レポート指示を含む、プロセッサと；
前記一つまたは複数の測定されたパラメータを記憶するよう構成された一つまたは複数のメモリ・インターフェースと；
前記測定レポート応答期間要求の期間内に、エンコードされた一つまたは複数の無線管理フレームを送信するよう構成された一つまたは複数の送信器とを有する、
報告局。
【請求項３５】
前記測定レポート要求がビーコン・レポート要求を含み、
前記測定レポート応答期間要求がビーコン・レポート応答期間要求を含む、
請求項３４記載の報告局。
【請求項３６】
前記最終測定レポート指示が最終ビーコン・レポート指示を含む、
請求項３４記載の報告局。
【発明の詳細な説明】
【技術分野】
【０００１】
関連出願への相互参照
本願は2017年5月9日に出願された米国仮特許出願第62/503,368号の優先権を主張するものである。同出願の内容はここに参照によってその全体において組み込まれる。
【背景技術】
【０００２】
コンピューティング・システムは現代社会の進展に向けて著しい寄与をなしてきており、数多くの用途で利用されて有利な結果を達成している。デスクトップ・パーソナル・コンピュータ（PC）、ラップトップPC、タブレットPC、スマートフォン、サーバーなどといった数多くの装置が、娯楽、教育、ビジネスおよび科学の大半の領域におけるデータの通信および解析において、生産性の向上とコスト削減を容易にしてきた。コンピューティング・システムの一つの一般的な側面はWi-Fi通信ネットワークである。Wi-Fiネットワークは、あらゆる異なる型のコンピューティング装置が互いに通信することを許容する。
【発明の概要】
【発明が解決しようとする課題】
【０００３】
Wi-Fi規格（IEEE802.11）は、無線通信リンクを実現するための媒体アクセス制御（MAC）および物理層（PHY）仕様の集合である。媒体アクセス制御および物理層を構成設定し、管理するために、いくつかの管理レポートが交換される。管理レポートにおいて送信されるデータは、装置間の接続、通信チャネル上の輻輳、通信チャネルのスペクトルにおける干渉などを管理するために、媒体アクセス制御および物理層において使用されることができる。Wi-Fiの人気が増すにつれて、媒体アクセス制御および物理層が、ますます異なる装置型の、より多数のコンピューティング装置を、高度の輻輳および増大した干渉のあるネットワーク上でサポートすることが望ましくなる。よって、相互運用性および後方互換性を提供する、向上した測定および報告技法が引き続き必要とされる。
【課題を解決するための手段】
【０００４】
本技術は、向上した無線測定報告技法に向けられた本願の技術の実施形態を例解するために使われる以下の記述および付属の図面を参照することによって最もよく理解されうる。
【０００５】
ある実施形態では、要求局が、最終測定レポート指示要求とともに測定レポート要求を生成することができる。測定レポート要求は、要求局によって、最終測定レポート指示要求と一緒に、無線管理フレーム内にエンコードされることができる。エンコードされた無線管理フレームは、要求局から一つまたは複数の報告局に送信されることができる。
【０００６】
報告局は、受領された無線管理フレームから、測定レポート要求を最終測定レポート指示要求と一緒にデコードすることができる。測定レポート要求に応答して、報告局は一つまたは複数のパラメータを測定することができる。前記一つまたは複数の測定されたパラメータは、報告局によって、一つまたは複数の測定レポート応答において、一つまたは複数の無線管理フレームにエンコードされることができる。前記一つまたは複数の無線管理フレームのうちの最後のものにおける所与の応答要素は、最終測定レポート指示を含むようエンコードされることができる。最終測定レポート指示は、無線管理フレームの所与のサブ要素においてエンコードされることができる。特定の無線管理フレームが最後の測定レポートを含むのでない場合、前記最終測定レポート指示のための前記所与のサブ要素は第一の値に設定されることができる。前記特定の無線管理フレームが最後の測定レポートを含む場合は、前記所与のサブ要素は第二の値に設定されることができる。エンコードされた一つまたは複数の無線管理フレームは、報告局から要求局に送信されることができる。
【０００７】
要求局は、所与の応答局からの前記受領された無線管理フレームをデコードし、前記最終測定レポート指示に基づいて、最後の測定レポート応答を含むフレームを見出すことができる。すると、要求局は、最後の測定レポート・フレームを受信したらすぐ、前記一つまたは複数の受領された測定レポート要素に基づいて一つまたは複数の無線通信リンク上で通信するための一つまたは複数のパラメータを構成設定することができ、追加的な測定レポート・フレームが受領されるかどうかを確認するために待つ必要がない。よって、要求局は、一つまたは複数の無線管理フレームの最後のものにおける最終測定レポート指示の包含から、最後の要求された無線管理測定パラメータが受領されたときを決定することができる。
【０００８】
測定レポートはビーコン・レポート、スペクトル・レポート、無線測定レポート、近傍測定レポート、チャネル測定レポートおよび送信ストリーム測定レポートであることができる。ある例示的実施形態では、測定レポート要求は、ビーコン・レポート要求であることができ、測定レポート応答はビーコン要求応答であることができる。そのような場合、最終ビーコン・レポート指示要求は、ビーコン・レポート要求の1の長さフィールドをもつ所与のサブ要素としてエンコードされることができる。前記所与のサブ要素が1の値をもつとき、最終ビーコン・レポート指示が要求される。同様に、最終ビーコン・レポート指示は、ビーコン・レポート応答の1の長さフィールドをもつ所与のサブ要素としてエンコードされることができる。前記所与のサブ要素が1の値をもつとき、最終ビーコン・レポートが指示される。
【０００９】
もう一つの実施形態では、要求局は、測定レポート応答期間要求と一緒に測定レポート要求を生成することができる。測定レポート要求は、前記測定レポート応答期間要求と一緒に、前記無線管理フレームにエンコードされることができる。エンコードされた無線管理フレームは、要求局から一つまたは複数の報告局に送信されることができる。
【００１０】
報告局は、受領された無線管理フレームから測定レポート応答期間要求と一緒に測定レポート要求をデコードすることができる。測定レポート要求に応答して、報告局は、一つまたは複数のパラメータを測定することができる。前記一つまたは複数の測定されたパラメータは、報告局によって、一つまたは複数の無線管理フレーム内の一つまたは複数の測定レポート応答において、エンコードされることができる。エンコードされた一つまたは複数の無線管理フレームは、測定レポート応答期間要求によって指示される期間内に、報告局から要求局に送信されることができる。
【００１１】
要求局は、前記一つまたは複数の受領された無線管理フレームから、前記一つまたは複数の管理レポート応答をデコードすることができる。すると、要求局は、最後の測定レポート・フレームを受信したらすぐ、前記一つまたは複数の受領された測定レポート応答に基づいて一つまたは複数の無線通信リンク上で通信するための一つまたは複数のパラメータを構成設定することができ、追加的な測定レポート・フレームが受領されるかどうかを確認するために待つ必要がない。よって、要求局は、測定レポート応答期間要求の包含の結果、要求された時間期間内に測定レポート応答を受領することができる。
【００１２】
この概要は、詳細な説明においてさらに後述される概念のセレクションを簡略化された形で紹介するために与えられている。この概要は、特許請求される主題のキーとなる特徴または本質的な特徴を特定することは意図されておらず、特許請求される主題の範囲を限定するために使われることも意図されていない。
【図面の簡単な説明】
【００１３】
本願の技術の実施形態は、限定ではなく例として、付属の図面の図において示される。図面において、同様の参照符号は同様の要素を示す。
【図１】本願の技術の諸側面に基づく通信システムを示す図である。
【図２Ａ】本願の技術の側面に基づく無線通信の方法を示す図である。
【図２Ｂ】本願の技術の側面に基づく無線通信の方法を示す図である。
【図３Ａ】本願の技術の側面に基づく無線通信の方法を示す図である。
【図３Ｂ】本願の技術の側面に基づく無線通信の方法を示す図である。
【図４Ａ】本願の技術の側面に基づく無線通信の方法を示す図である。
【図４Ｂ】本願の技術の側面に基づく無線通信の方法を示す図である。
【図４Ｃ】本願の技術の側面に基づく無線通信の方法を示す図である。
【発明を実施するための形態】
【００１４】
ここで本願の技術の実施形態を詳細に参照する。その例は付属の図面に示されている。本願の技術はこれらの実施形態との関連で記述されるが、これらの実施形態は本発明をこれらの実施形態に限定することは意図されていない。逆に、本発明は、付属の請求項によって定義される本発明の範囲内に含まれうる代替、修正および等価物をカバーすることが意図されている。さらに、本願の技術の以下の詳細な記述において、本願の技術の十全な理解を提供するために、数多くの個別的詳細が記載される。しかしながら、本願の技術はこれらの個別的詳細なしで実施されうることが理解される。他方、よく知られた方法、手順、構成要素および回路は、本願の技術の諸側面を無用に埋没させないよう、詳細には記述されていない。
【００１５】
下記の本願の技術のいくつかの実施形態は、一つまたは複数の電子装置内のデータに対する作用のルーチン、モジュール、論理ブロックおよび他の記号的表現を使って呈示される。該記述および表現は、当業者が他の当業者に自分の業績の内容を最も効果的に伝達するために使われる手段である。本稿において、また一般に、ルーチン、モジュール、論理ブロックなどは、所望される結果に導くプロセスまたは命令の自己整合的なシーケンスであると考えられる。プロセスは、物理量の物理的な操作を含むものである。必ずではないが通例、これらの物理的な操作は、記憶され、転送され、比較され、他の仕方で電子装置内で操作されることのできる電気もしくは磁気信号の形を取る。便宜上、また慣用により、これらの信号は、本願の技術の実施形態を参照して、データ、ビット、値、要素、シンボル、キャラクタ、項、数、ストリングおよび／またはその他と称される。
【００１６】
しかしながら、これらの用語のすべては、物理的な操作および量を参照しているものと解釈されるものであり、単に便利なラベルであり、さらに本技術分野において慣用される用語に鑑みて解釈されるものであることを念頭に置いておくべきである。以下の議論から明白なようにそうでないことが明記されるのでない限り、本願の技術の議論を通じて、「受領する」などといった用語を利用する議論は、データを操作して変換する電子コンピューティング装置のような電子装置のアクションおよびプロセスを指すことが理解される。データは、電子装置の論理回路、レジスタ、メモリなどの内部の物理的（たとえば電子的）な量として表現され、電子装置内の物理量として同様に表現される他のデータに変換される。
【００１７】
本願では、選言の使用は、連言を含むことが意図される。定冠詞または不定冠詞の使用は、数を示すことは意図されない。特に、「the」objectまたは「a」objectへの言及は、そのようなオブジェクトの可能な複数のうちの一つをも表わすことが意図されている。本稿で使用される表現および用語が記述のためであり、限定するものとみなされるべきでないことも理解される。
【００１８】
図１を参照するに、本願の技術の諸側面に基づく通信システムが示されている。通信システム１００は、一つまたは複数の無線通信リンク１３０〜１４５によって通信上、一緒に結合された複数の局（STA）１０５〜１２５を含むことができる。局１０５〜１３０は、無線ネットワーク・インターフェース・コントローラ１５０、１５５と組み合わせたコンピューティング装置を含む。コンピューティング装置は、任意の型のデスクトップ・パーソナル・コンピュータ（PC）、ラップトップPC、タブレットPC、プリンタ、スマートフォン、スマート・テレビジョン、ゲーム・コンソール、インフォテインメント・システム、モノのインターネット（IOT）装置などであることができる。ネットワーク・インターフェース・コントローラ１５０は、一つまたは複数のプロセッサ１６０、一つまたは複数のメモリ１６５および一つまたは複数のトランシーバ１７０を含むことができる。メモリ１６５は、前記一つまたは複数のプロセッサ１６０によって処理されたときに本稿に記載されるような前記局１０５〜１２５によって実行される一つまたは複数の機能を実装する一つまたは複数のコンピューティング装置実行可能命令およびデータを記憶することができる。
【００１９】
ある実装では、前記一つまたは複数の命令およびデータは、メモリ１６５から読まれ、一つまたは複数のプロセッサ１６０によって実行されて、通信システムの媒体アクセス制御（MAC）および物理層（PHY）を実装することができる。無線通信リンク１３０〜１４５は、指定された無線プロトコル規格に準拠することができる。ある実装では、無線通信リンク１３０〜１４５は、米国電気電子技術者協会（IEEE）802.11規格に準拠することができ、一般にWi-Fi通信リンク１３０〜１４５と称される。
【００２０】
一つまたは複数の局１０５は、一つまたは複数の広域ネットワーク（WAN）１９５などに通信上結合１７５されることができる。有線通信リンク１９０によって一つまたは複数のWAN  １９５に通信上結合される局１０５はアクセスポイント（AP）と称されることもできる。アクセスポイントは、一群の局を有線ネットワーク１９５に接続することができる。アクセスポイントはスタンドアローン装置である、またはデスクトップPC、ラップトップPC、タブレットPC、スマートフォン、ルーター、モデムなどといったコンピューティング装置と一体であることができる。
【００２１】
要求局１０５は、一つまたは複数の他の局１１０〜１２５に、一つまたは複数の無線ネットワーク測定を要求してもよい。報告局１１５は、前記一つまたは複数の要求された測定をもって返答することができる。ある実装では、要求局１０５はWiFiアジャイル・マルチバンド（WiFi  Agile  Multi-Band）アクセスポイントであることができ、報告局１１５はWiFiアジャイル・マルチバンド局非アクセスポイント局であることができる。通信システムの動作は、本願の技術の側面に基づく無線通信の方法を示す図２Ａおよび２Ｂを参照してさらに記述される。
【００２２】
諸側面において、要求局１０５は、２０５において、測定レポート要求を生成するよう構成されることができる。測定レポート要求は、ビーコン・レポート、スペクトル・レポート、無線測定レポート、近傍局測定レポート、チャネル測定レポート、送信ストリーム測定レポートなどの要求であることができる。生成された測定レポート要求は、任意的に、最終測定レポート指示要求を含むことができる。最終測定レポート指示要求は、各測定レポート要求に含まれる所与のサブ要素であることができる。最終測定レポート指示が所望される場合、要求局１０５は該所与のサブ要素を第一の値に設定することができる。最終測定レポート指示が所望されない場合または報告局がその機能をサポートしない場合は、要求局１０５は該所与のサブ要素を第二の値に設定することができる。ある実装では、最終測定レポート指示要求は、ビーコン・レポート要求に含まれる最終ビーコン・レポート指示要求であることができる。しかしながら、要求局は、応答局が最終ビーコン・レポート指示機能をサポートしないレガシー局であるときは、最終ビーコン・レポート指示を要求することを控えることができる。
【００２３】
ある実装では、測定レポート要求は、IEEE802.11規格に基づくビーコン・レポート要求であることができる。ビーコン・レポート要求は、チャネル番号（channel  number）、測定モード、基本サービスセット識別子（Basic  Service  Set  Identifier、BSSID）、任意的なサービスセット識別子（Service  Set  Identifier、SSID）サブ要素、任意的な詳細報告（Reporting  Detail）サブ要素、一つまたは複数の任意的なアクセスポイント・チャネル・レポート・サブ要素および任意的な要求要素と一緒に送られることができる。チャネル番号は、適切なグローバル動作クラスと一緒に特定のチャネル、または前記適切なグローバル動作クラスと一緒に0、または一つまたは複数のアクセスポイント・チャネル・レポート・サブ要素と一緒に255に設定されることができる。測定モードは、能動、受動またはビーコン・テーブルに設定されることができる。基本サービスセット識別子（BSSID）は特定のBSSIDまたはワイルドカードBSSIDに設定されることができる。任意的なサービスセット識別子（SSID）サブ要素は関心対象のアクセスポイントのSSIDと一緒に含まれる、または省略される（たとえばワイルドカードSSIDを含意する）ことができる。任意的な詳細報告サブ要素は、含まれ0に設定される、または含まれ1に設定される、または含まれ2に設定されることができる。任意的な一つまたは複数のアクセスポイント・チャネル・レポート・サブ要素は、チャネル番号が255に設定される場合には、前記適切なグローバル動作クラスと一緒に含まれることができ、あるいはチャネル番号が255以外である場合には省略されてもよい。任意的な要求要素が含まれて、要素IDのリストを指定してもよく、あるいは省略されてもよい。
【００２４】
諸側面において、測定レポート要求は、２１０において、無線管理（Radio  Management、RM）フレームにおいてエンコードされることができる。ある実装では、ビーコン・レポート要求が無線管理フレームにおいてエンコードされることができる。最終ビーコン・レポート指示要求が含まれる場合、最終ビーコン・レポート指示要求は、ビーコン・レポート要求と一緒に、無線管理フレーム内にエンコードされることができる。ある実装では、最終ビーコン・レポート指示要求は、1に設定された長さフィールドをもつサブ要素としてエンコードされることができる。最終ビーコン・レポート指示要求についてのサブ要素識別子は、164であることができる。1の値に設定されたデータフィールドをもつビーコン・レポート要求内に含まれるとき、要求局１０５は、報告局１１５が、ビーコン・レポート要求に応答して生成される一つまたは複数のフレームのシーケンスの最後のフレームの指示をビーコン・レポートに含めることを要求する。
【００２５】
側面において、測定レポート要求を含む無線管理フレームは、２１５において、要求局１０５から一つまたは複数の報告局１１５に、前記無線通信リンクの一つまたは複数を通じて送信されることができる。ある実装では、無線管理フレーム内にエンコードされた最終ビーコン・レポート指示要求を含むビーコン・レポートは、要求局１０５のトランシーバ１７０から報告局１１５のトランシーバ１８５に、両者を結合する無線通信リンク１３５を通じて送信されることができる。要求局１０５によって送信される無線管理フレームは、２２０において、報告局１１５によって受領されることができる。
【００２６】
諸側面において、報告局１１５は、２２５において、測定レポート要求を含む無線管理フレームをデコードするよう構成されることができる。測定レポート要求は、任意的に、最終測定レポート指示要求を含むことができる。測定レポート要求に応答して、報告局１１５は、２３０において、一つまたは複数のパラメータを測定することができる。ある実装では、報告局１１５は、所定の時間期間にわたって電波状態のパラメータを測定することができる。報告局１１５は、２３５において、前記一つまたは複数の測定されたパラメータを、一つまたは複数の無線管理フレームでの測定レポート応答の一つまたは複数のレポート要素内にエンコードすることができる。前記一つまたは複数の無線管理フレームはそれぞれ、最終測定レポート指示サブ要素を含むことができる。ある実装では、測定レポート応答はビーコン・レポートであることができる。いくつかの実装では、一つのビーコン・レポートが一つの無線測定フレームに入れられることができ、よって、複数のビーコン・レポートを送るために複数のフレームが送られることができる。他の実装では、複数のビーコン・レポートが一つの無線測定フレームに入れられることができ、よって、ビーコン・レポート要求への応答として、複数のフレームを送る必要がないことがある。
【００２７】
測定レポート要求が最終測定レポート指示要求を含んでいた場合、前記一つまたは複数の無線管理フレームのうちの最後のものにおいて最後の測定レポートを指示するための前記所与の応答要素は、最後の測定レポートを指示する第一の値をもってエンコードされることができる。前記所与の無線管理フレームが最後の管理フレームでない場合は、前記所与の無線管理フレームにおける前記所与の応答要素は、前記所与の無線管理フレームが最後の無線管理フレームではないことを示す第二の値をもってエンコードされることができる。ある実装では、最終ビーコン・レポート指示が測定レポート要素に含まれることができる。ある実装では、最終ビーコン・レポート指示は、測定レポート要素の新しいフィールドにおいてエンコードされることができる。もう一つの実装では、最終ビーコン・レポート指示は、個々の測定レポートに、各型のレポートに追加される新しいフィールドとして加えられることができ、最後のフレームにおける最後のレポートが、それが最後のレポートであり、よって暗黙的に最後のフレームであることを示す。ある実装では、最終ビーコン・レポート指示は、1に設定された長さフィールドをもつサブ要素としてエンコードされることができる。最終ビーコン・レポート指示のためのサブ要素識別子は164であることができる。0の値に設定されたデータフィールドをもつビーコン・レポートの所与の応答要素に含まれるとき、報告局１１５は、該所与の応答要素を含むビーコン・レポートが、ビーコン要求に応答して生成された一つまたは複数のフレームのシーケンスの最後のフレームではないことを示している。1の値に設定されたデータフィールドをもつビーコン・レポートの所与の応答要素に含まれるとき、報告局１１５は、該所与の応答要素を含むビーコン・レポートが、ビーコン要求に応答して生成された一つまたは複数のフレームのシーケンスの最後のフレームであることを示している。
【００２８】
諸側面において、測定レポート応答を含む前記一つまたは複数の無線管理フレームは、２４０において、報告局１１５から要求局１０５に、前記無線通信リンクの一つまたは複数を通じて送信されることができる。ある実装では、無線管理フレーム内にエンコードされた最終ビーコン・レポート指示を含むビーコン・レポートは、報告局１１５のトランシーバ１８５から要求局１０５のトランシーバ１７０に、両者を結合する無線通信リンク１３５を通じて送信されることができる。
【００２９】
報告局１１５によって送信される前記一つまたは複数の無線管理フレームは、２４５において、要求局１０５によって受領されることができる。諸側面において、要求局１０５は、２５０において、一つまたは複数の測定レポート応答を含む一つまたは複数の無線管理フレームをデコードすることができる。ある実装では、一つまたは複数の無線管理フレームから、ビーコン・レポートの一つまたは複数のビーコン・レポート応答がデコードされることができる。ビーコン・レポート応答は、一つまたは複数の測定応答要素を含むことができる。前記一つまたは複数の応答要素内に最終ビーコン・レポート指示サブ要素が含まれるときは、所与の値に設定された応答要素が該所与の測定応答を、ビーコン・レポート応答における最後の測定応答として識別することができる。
【００３０】
いくつかの実装では、要求局１０５は、時間に敏感な仕方で測定レポート応答の内容を処理し、これにアクションを行なう必要があることがある。しかしながら、通常の測定レポート応答は、ユーザー音声およびビデオ・データのような他のデータが送れるよう、非優先扱いされる（de-prioritized）ことがあり、測定レポートは要求者に散発的に送られることになる。対照的に、最終測定レポート要求は、完全な測定レポート応答が要求局１０５によって受信された時を判別するための備えを提供できる。よって、要求局１０５は、最後の測定レポート・フレームを受信したらすぐに、一つまたは複数の無線通信リンク上で通信するための一つまたは複数のパラメータを、前記一つまたは複数の受領された測定レポート要素に基づいて構成設定することができ、追加的な測定レポート・フレームが受領されるかどうかを見るために待つ必要がない。
【００３１】
諸側面において、要求局（STA）１０５は、２５５において、前記一つまたは複数のデコードされた測定レポート応答を、媒体アクセス制御、物理層および／または一つまたは複数の高位の通信スタック層に関係したさらなる処理のためにメモリ１６５に記憶することができる。ある実装では、要求局１０５は、前記一つまたは複数の無線通信リンク１３０〜１４５上で通信するための一つまたは複数のパラメータを、前記一つまたは複数の受領された測定レポート要素に基づいて構成設定することができる。たとえば、Wi-Fiアジャイル・マルチバンド・アクセスポイントは、関連するWi-Fiアジャイル・マルチバンド局からのビーコン・レポート内の情報を、基本サービスセット（Basic  Service  Set、BSS）のための新しいチャネルを選択する、または任意の関連するWi-Fiアジャイル・マルチバンド局のためにBSS遷移を要求するために使われるアルゴリズムへの入力として使うことができる。
【００３２】
ここで図３Ａおよび３Ｂを参照するに、本願の技術の諸側面に基づく無線通信の方法が示されている。諸側面において、要求局１０５は、３０５において、測定レポート要求を生成するよう構成されることができる。測定レポート要求は、ビーコン・レポート、スペクトル・レポート、無線測定レポート、近傍局測定レポート、チャネル測定レポート、送信ストリーム測定レポートなどの要求であることができる。生成された測定レポート要求は、任意的に、測定レポート応答期間要求を含むことができる。ある実装では、測定レポート指示要求は、ビーコン・レポート要求に含まれるビーコン・レポート応答期間要求であることができる。
【００３３】
ある実装では、測定レポート要求は、IEEE802.11規格に基づくビーコン・レポート要求であることができる。ビーコン・レポート要求は、チャネル番号（channel  number）、測定モード、基本サービスセット識別子（Basic  Service  Set  Identifier、BSSID）、任意的なサービスセット識別子（Service  Set  Identifier、SSID）サブ要素、任意的な詳細報告（Reporting  Detail）サブ要素、一つまたは複数の任意的なアクセスポイント・チャネル・レポート・サブ要素および任意的な要求要素と一緒に送られることができる。チャネル番号は、適切なグローバル動作クラスと一緒に特定のチャネル、または前記適切なグローバル動作クラスと一緒に0、または一つまたは複数のアクセスポイント・チャネル・レポート・サブ要素と一緒に255に設定されることができる。測定モードは、能動、受動またはビーコン・テーブルに設定されることができる。基本サービスセット識別子（BSSID）は特定のBSSIDまたはワイルドカードBSSIDに設定されることができる。任意的なサービスセット識別子（SSID）サブ要素は関心対象のアクセスポイントのSSIDと一緒に含まれる、または省略される（たとえばワイルドカードSSIDを含意する）ことができる。任意的な詳細報告サブ要素が含まれ0に設定される、または含まれ1に設定される、または含まれ2に設定されることができる。任意的な一つまたは複数のアクセスポイント・チャネル・レポート・サブ要素は、チャネル番号が255に設定される場合には、前記適切なグローバル動作クラスと一緒に含まれることができ、あるいはチャネル番号が255以外である場合には省略されてもよい。任意的な要求要素が含まれて、要素IDのリストを指定してもよく、あるいは省略されてもよい。
【００３４】
諸側面において、測定レポート要求は、３１０において、無線管理（Radio  Management、RM）フレームにおいてエンコードされることができる。ある実装では、ビーコン・レポート要求が無線管理フレームにおいてエンコードされることができる。ビーコン・レポート応答期間要求が含まれる場合、ビーコン・レポート応答期間要求は、ビーコン・レポート要求と一緒に、無線管理フレーム内にエンコードされることができる。ある実装では、ビーコン・レポート応答期間要求は、サブ要素としてエンコードされることができる。ビーコン・レポート応答期間要求についてのサブ要素識別子は、164であることができる。ビーコン・レポート応答期間要求は、期間単位の数としてエンコードされることができる。期間単位の数はたとえば、所与のクロックサイクルの数であることができる。
【００３５】
側面において、測定レポート要求を含む無線管理フレームは、３１５において、要求局１０５から一つまたは複数の報告局１１５に、前記無線通信リンクの一つまたは複数を通じて送信されることができる。ある実装では、無線管理フレーム内にエンコードされたビーコン・レポート応答期間要求を含むビーコン・レポートは、要求局１０５のトランシーバ１７０から報告局１１５のトランシーバ１８５に、両者を結合する無線通信リンク１３５を通じて送信されることができる。要求局１０５によって送信される無線管理フレームは、２２０において、報告局１１５によって受領されることができる。
【００３６】
諸側面において、報告局１１５は、３２５において、測定レポート要求を含む無線管理フレームをデコードするよう構成されることができる。測定レポート要求は、任意的に、測定レポート応答期間要求を含むことができる。測定レポート要求に応答して、報告局１１５は、３３０において、一つまたは複数のパラメータを測定することができる。ある実装では、報告局１１５は、所定の時間期間にわたって電波状態のパラメータを測定することができる。報告局１１５は、３３５において、前記一つまたは複数の測定されたパラメータを、一つまたは複数の無線管理フレームでの測定レポート応答の一つまたは複数のレポート要素内にエンコードすることができる。ある実装では、測定レポート応答はビーコン・レポートであることができる。いくつかの実装では、一つのビーコン・レポートが一つの無線測定フレームに入れられることができ、よって、複数のビーコン・レポートを送るために複数のフレームが送られることができる。他の実装では、複数のビーコン・レポートが一つの無線測定フレームに入れられることができ、よって、ビーコン・レポート要求への応答として、複数のフレームを送る必要がないことがある。
【００３７】
諸側面において、測定レポート応答を含む無線管理フレームが、３４０において、報告局１１５から要求局１０５に、前記無線通信リンクの一つまたは複数を通じて送信されることができる。測定レポート期間要求が測定応答期間要求を含んでいた場合、エンコードされた一つまたは複数の無線管理フレームは、要求された測定レポート期間内に送信されることができる。ある実装では、前記一つまたは複数の無線管理フレーム内にエンコードされたビーコン・レポートは、要求された測定レポート期間内に、報告局１１５のトランシーバ１８５から要求局１０５のトランシーバ１７０に、両者を結合する無線通信リンク１３５を通じて送信されることができる。
【００３８】
報告局１１５によって送信される前記一つまたは複数の無線管理フレームは、３４５において、要求局１０５によって受領されることができる。諸側面において、要求局１０５は、３５０において、一つまたは複数の測定レポート応答を含む一つまたは複数の無線管理フレームをデコードすることができる。ある実装では、一つまたは複数の無線管理フレームから、ビーコン・レポートの一つまたは複数のビーコン・レポート応答がデコードされることができる。ビーコン・レポート応答は、一つまたは複数の測定応答要素を含むことができる。
【００３９】
いくつかの実装では、要求局１０５は、時間に敏感な仕方で測定レポート応答の内容を処理し、これにアクションを行なう必要があることがある。しかしながら、通常の測定レポート応答は、ユーザー音声およびビデオ・データのような他のデータが送れるよう、非優先扱いされる（de-prioritized）ことがある。対照的に、測定レポート応答期間要求は、所定の時間期間内に測定レポート応答を要求局１０５に送達するための備えを提供でき、それにより要求局は、測定レポート応答の内容を適時に処理し、これにアクションを行なうことができる。
【００４０】
諸側面において、要求局１０５は、２５５において、前記一つまたは複数のデコードされた測定レポート応答を、媒体アクセス制御、物理層および／または一つまたは複数のより高位の通信スタック層に関係したさらなる処理のためにメモリ１６５に記憶することができる。ある実装では、要求局１０５は、前記一つまたは複数の無線通信リンク１３０〜１４５上で通信するための一つまたは複数のパラメータを、前記一つまたは複数の受領された測定レポート要素に基づいて構成設定することができる。たとえば、Wi-Fiアジャイル・マルチバンド・アクセスポイントは、関連するWi-Fiアジャイル・マルチバンド局からのビーコン・レポート内の情報を、基本サービスセット（Basic  Service  Set、BSS）のための新しいチャネルを選択する、または任意の関連するWi-Fiアジャイル・マルチバンド局のためにBSS遷移を要求するために使われるアルゴリズムへの入力として使うことができる。
【００４１】
ここで図４Ａないし４Ｃを参照するに、本願の技術の側面に基づく無線通信の方法が示されている。諸側面において、要求局１０５は、４０５において、測定レポート要求を生成するよう構成されることができる。測定レポート要求は、ビーコン・レポート、スペクトル・レポート、無線測定レポート、近傍局測定レポート、チャネル測定レポート、送信ストリーム測定レポートなどの要求であることができる。生成された測定レポート要求は、任意的に、測定レポート応答期間要求および最終測定レポート指示要求を含むことができる。ある実装では、測定レポート応答期間要求および最終測定レポート指示要求は、ビーコン・レポート要求に含まれる、ビーコン・レポート応答期間要求および最終ビーコン・レポート指示要求であることができる。
【００４２】
ある実装では、測定レポート要求は、IEEE802.11規格に基づくビーコン・レポート要求であることができる。ビーコン・レポート要求は、チャネル番号（channel  number）、測定モード、基本サービスセット識別子（Basic  Service  Set  Identifier、BSSID）、任意的なサービスセット識別子（Service  Set  Identifier、SSID）サブ要素、任意的な詳細報告（Reporting  Detail）サブ要素、一つまたは複数の任意的なアクセスポイント・チャネル・レポート・サブ要素および任意的な要求要素と一緒に送られることができる。チャネル番号は、適切なグローバル動作クラスと一緒に特定のチャネル、または前記適切なグローバル動作クラスと一緒に0、または一つまたは複数のアクセスポイント・チャネル・レポート・サブ要素と一緒に255に設定されることができる。測定モードは、能動、受動またはビーコン・テーブルに設定されることができる。基本サービスセット識別子（BSSID）は特定のBSSIDまたはワイルドカードBSSIDに設定されることができる。任意的なサービスセット識別子（SSID）サブ要素は関心対象のアクセスポイントのSSIDと一緒に含まれる、または省略される（たとえばワイルドカードSSIDを含意する）ことができる。任意的な詳細報告サブ要素は、含まれ0に設定される、または含まれ1に設定される、または含まれ2に設定されることができる。任意的な一つまたは複数のアクセスポイント・チャネル・レポート・サブ要素は、チャネル番号が255に設定される場合には、前記適切なグローバル動作クラスと一緒に含まれることができ、あるいはチャネル番号が255以外である場合には省略されてもよい。任意的な要求要素が含まれて、要素IDのリストを指定してもよく、あるいは省略されてもよい。
【００４３】
諸側面において、測定レポート要求は、４１０において、無線管理（Radio  Management、RM）フレームにおいてエンコードされることができる。ある実装では、ビーコン・レポート要求が無線管理フレームにおいてエンコードされることができる。ビーコン・レポート応答期間要求および最終ビーコン・レポート指示要求は、ビーコン・レポート要求と一緒に、無線管理フレーム内にエンコードされることができる。ある実装では、ビーコン・レポート応答期間要求は、一つのサブ要素としてエンコードされることができる。ある実装では、最終ビーコン・レポート指示要求は、1に設定された長さフィールドをもつもう一つのサブ要素としてエンコードされることができる。ビーコン・レポート応答期間および最終ビーコン・レポート指示要求が含まれない場合は、対応するサブ要素は0の値をもってエンコードされることができる。
【００４４】
側面において、測定レポート要求を含む無線管理フレームは、４１５において、要求局１０５から一つまたは複数の報告局１１５に、前記無線通信リンクの一つまたは複数を通じて送信されることができる。ある実装では、無線管理フレーム内にエンコードされたビーコン・レポート応答期間要求および最終ビーコン・レポート指示要求を含むビーコン・レポートは、要求局１０５のトランシーバ１７０から報告局１１５のトランシーバ１８５に、両者を結合する無線通信リンク１３５を通じて送信されることができる。要求局１０５によって送信される無線管理フレームは、４２０において、報告局１１５によって受領されることができる。
【００４５】
諸側面において、報告局１１５は、４２５において、測定レポート要求を含む無線管理フレームをデコードするよう構成されることができる。測定レポート要求は、任意的に、測定レポート応答期間要求および最終測定レポート指示要求を含むことができる。測定レポート要求に応答して、報告局１１５は、４３０において、一つまたは複数のパラメータを測定することができる。ある実装では、報告局１１５は、所定の時間期間にわたって電波状態のパラメータを測定することができる。報告局１１５は、４３５において、前記一つまたは複数の測定されたパラメータを、一つまたは複数の無線管理フレームでの測定レポート応答の一つまたは複数のレポート要素内にエンコードすることができる。ある実装では、測定レポート応答はビーコン・レポートであることができる。いくつかの実装では、一つのビーコン・レポートが一つの無線測定フレームに入れられることができ、よって、複数のビーコン・レポートを送るために複数のフレームが送られることができる。他の実装では、複数のビーコン・レポートが一つの無線測定フレームに入れられることができ、よって、ビーコン・レポート要求への応答として、複数のフレームを送る必要がないことがある。
【００４６】
測定レポート要求が最終測定レポート指示要求を含んでいた場合、前記一つまたは複数の無線管理フレームのうちの最後のものにおける所与の応答要素が、最終測定レポート指示を含むようにエンコードされることができる。ある実装では、最終ビーコン・レポート指示は、測定レポート要素内に含まれることができる。ある実装では、最終ビーコン・レポート指示は、測定レポート要素の新しいフィールドにおいてエンコードされることができる。もう一つの実装では、最終ビーコン・レポート指示は、個々の測定レポートに、各型のレポートに追加される新しいフィールドとして加えられることができ、最後のレポートが、それが最後のレポートであり、よって暗黙的に最後のフレームであることを示す。ある実装では、最終ビーコン・レポート指示は、1に設定された長さフィールドをもつサブ要素としてエンコードされることができる。最終ビーコン・レポート指示のためのサブ要素識別子は164であることができる。1の値に設定されたデータフィールドをもつビーコン・レポートの所与の応答要素に含まれるとき、報告局１１５は、該所与の応答要素を含むビーコン・レポートが、ビーコン要求に応答して生成された一つまたは複数のフレームのシーケンスの最後のフレームであることを示している。ビーコン・レポート要求が最終ビーコン・レポート指示要求を含まない場合には、最終ビーコン・レポート・インジケーターのデータフィールドは0の値に設定されることができる。
【００４７】
諸側面において、測定レポート応答を含む前記一つまたは複数の無線管理フレームは、４４０において、報告局１１５から要求局１０５に、前記無線通信リンクの一つまたは複数を通じて送信されることができる。測定レポート期間要求が測定応答期間要求を含んでいた場合、エンコードされた一つまたは複数の無線管理フレームは、要求された測定レポート期間内に送信されることができる。ある実装では、無線管理フレーム内にエンコードされた最終ビーコン・レポート指示を含むビーコン・レポートは、報告局１１５のトランシーバ１８５から要求局１０５のトランシーバ１７０に、両者を結合する無線通信リンク１３５を通じて、要求された測定レポート期間内に送信されることができる。
【００４８】
報告局１１５によって送信される前記一つまたは複数の無線管理フレームは、４４５において、要求局１０５によって受領されることができる。諸側面において、要求局１０５は、４５０において、一つまたは複数の測定レポート応答を含む一つまたは複数の無線管理フレームをデコードすることができる。ある実装では、一つまたは複数の無線管理フレームから、ビーコン・レポートの一つまたは複数のビーコン・レポート応答がデコードされることができる。ビーコン・レポート応答は、一つまたは複数の測定応答要素を含むことができる。所与の応答要素内に設定されるとき、最終ビーコン・レポート指示は、該所与の測定応答要素を、ビーコン・レポート応答における最後の測定応答として識別することができる。
【００４９】
いくつかの実装では、要求局１０５は、時間に敏感な仕方で測定レポート応答の内容を処理し、これにアクションを行なう必要があることがある。しかしながら、通常の測定レポート応答は、ユーザー音声およびビデオ・データのような他のデータが送れるよう、非優先扱いされる（de-prioritized）ことがある。対照的に、測定レポート応答期間要求は、所定の時間期間内に測定レポート応答を要求局１０５に送達するための備えを提供できる。さらに、最終測定レポート要求は、完全な測定レポート応答が要求局１０５によって受信された時を判別するための備えを提供できる。よって、要求局１０５は、最後の測定レポート・フレームを受信したらすぐに、一つまたは複数の無線通信リンク上で通信するための一つまたは複数のパラメータを、前記一つまたは複数の受領された測定レポート要素に基づいて構成設定することができ、追加的な測定レポート・フレームが受領されるかどうかを見るために待つ必要がない。
【００５０】
諸側面において、要求局１０５は、４５５において、前記一つまたは複数のデコードされた測定レポート応答を、媒体アクセス制御、物理層および／または一つまたは複数の高位の通信スタック層に関係したさらなる処理のためにメモリ１６５に記憶することができる。ある実装では、要求局１０５は、前記一つまたは複数の無線通信リンク１３０〜１４５上で通信するための一つまたは複数のパラメータを、前記一つまたは複数の受領された測定レポート要素に基づいて構成設定することができる。たとえば、Wi-Fiアジャイル・マルチバンド・アクセスポイントは、関連するWi-Fiアジャイル・マルチバンド局からのビーコン・レポート内の情報を、基本サービスセット（Basic  Service  Set、BSS）のための新しいチャネルを選択する、または任意の関連するWi-Fiアジャイル・マルチバンド局のためにBSS遷移を要求するために使われるアルゴリズムへの入力として使うことができる。
【００５１】
本願の技術の諸側面は、有利なことに、無線局が迅速な無線管理決定をすることを可能にする。要求局は有利には、要求された時間期間内に無線管理測定パラメータを受信することができ、および／または最後の要求された無線管理測定パラメータが受領された時を判別できる。
【００５２】
本願の技術の具体的実施形態の上記の記述は、例解および記述の目的のために呈示されており、網羅的であることや、本発明を開示される厳密な形に限定することは意図されていない。明らかに、上記の教示に照らして数多くの修正および変形が可能である。実施形態は、本願の技術の原理および実際的な応用を最もよく説明、それにより他の当業者が本願の技術および考えられる具体的な使用に適したさまざまな修正をしたさまざまな実施形態を最もよく利用できるようにするために選ばれ、記述されている。本発明の範囲は付属の請求項およびその等価物によって定義されることが意図されている。
いくつかの態様を記載しておく。
〔態様１〕
データを無線通信するよう構成された要求局であって、当該要求局は：
最終測定レポート指示要求と一緒に測定レポート要求を生成し、前記最終測定レポート指示要求と一緒に前記測定レポート要求を、無線管理フレーム内にエンコードするよう構成された一つまたは複数のプロセッサと；
エンコードされた無線管理フレームを送信するよう構成された送信器と；
前記一つまたは複数のプロセッサによって実行されたときに前記測定レポート要求の生成を含むデータリンク層制御を実装する一つまたは複数の命令およびデータを記憶するよう構成された一つまたは複数のメモリとを有する、
要求局。
〔態様２〕
前記要求局がアクセスポイントである、態様１記載の要求局。
〔態様３〕
前記測定レポート要求がビーコン・レポート、スペクトル・レポート、無線測定レポート、近傍局測定レポート、チャネル測定レポートおよび送信ストリーム測定レポートのうちの一つを含む、態様１記載の要求局。
〔態様４〕
前記無線管理フレームが米国電気電子技術者協会802.11プロトコル規格準拠の無線管理フレームである、態様１記載の要求局。
〔態様５〕
前記測定レポート要求がビーコン・レポート要求を含み；
前記最終測定レポート指示要求が最終ビーコン・レポート指示要求を含む、
態様１記載の要求局。
〔態様６〕
前記最終ビーコン・レポート指示要求は、前記ビーコン・レポート要求の1の長さフィールドをもつ所与のサブ要素としてエンコードされる、態様５記載の要求局。
〔態様７〕
前記ビーコン・レポート要求における1の値をもつ前記所与のサブ要素は、前記最終ビーコン・レポート指示要求の存在を示し；
前記ビーコン・レポート要求における0の値をもつ前記所与のサブ要素は、前記最終ビーコン・レポート指示要求の不在を示す、
態様６記載の要求局。
〔態様８〕
一つまたは複数の無線管理フレームを受信するための一つまたは複数の受信器をさらに有する、態様１記載の要求局であって、
前記一つまたは複数のプロセッサはさらに、一つまたは複数の測定レポート応答を含む受信された一つまたは複数の無線管理フレームをデコードするよう構成されており、最終測定レポート指示が所与の測定レポート応答に含まれており、
前記一つまたは複数のメモリが、デコードされた前記一つまたは複数の測定レポート応答を記憶するよう構成されている、
要求局。
〔態様９〕
前記一つまたは複数のプロセッサがさらに、前記最終測定レポート指示を含む前記所与の測定レポート応答まで、所与の応答局からの前記受信された一つまたは複数の無線管理フレームをデコードするよう構成されており、
前記一つまたは複数のメモリが、前記最終測定レポート指示を含んでいた測定レポート応答まで、前記所与の応答局からのデコードされた前記一つまたは複数の測定レポート応答を記憶するよう構成されている、
ことをさらに含む、態様８記載の要求局。
〔態様１０〕
データを無線通信するよう構成された報告局であって、当該報告局は：
無線管理フレームを受信するよう構成された一つまたは複数の受信器と；
一つまたは複数のプロセッサであって：
受信された前記無線管理フレームから最終測定レポート指示要求と一緒の測定レポート要求をデコードし、
デコードされた測定レポート要求に応答して一つまたは複数のパラメータを測定し、
前記一つまたは複数の測定されたパラメータを、一つまたは複数の無線管理フレームでの測定レポート応答の一つまたは複数のレポート要素内にエンコードするよう構成されており、前記一つまたは複数の無線管理フレームにおける所与のレポート要素は、前記一つまたは複数の無線管理フレームのうちの最後のものにおいては第一の値に設定され、前記一つまたは複数の無線管理フレームのうちの他のものにおいては第二の値に設定された最終測定レポート指示を含む、プロセッサと；
前記一つまたは複数の測定されたパラメータを記憶するよう構成された一つまたは複数のメモリ・インターフェースと；
エンコードされた一つまたは複数の無線管理フレームを送信するよう構成された一つまたは複数の送信器とを有する、
報告局。
〔態様１１〕
前記最終測定レポート指示が、前記所与のレポート要素のフィールド内にエンコードされる、態様１０記載の報告局。
〔態様１２〕
前記最終測定レポート指示が、前記無線管理フレームのレポートのフィールド内にエンコードされる、態様１０記載の報告局。
〔態様１３〕
前記一つまたは複数の無線管理フレームにおける各レポート要素が、前記最終測定レポート指示をエンコードするよう構成可能なフィールドを含む、態様１０記載の報告局。
〔態様１４〕
それぞれの型の測定レポートが、前記最終測定レポート指示をエンコードするよう構成可能なフィールドを含む、態様１０記載の報告局。
〔態様１５〕
前記測定レポート応答がビーコン・レポート応答を含み、
前記最終測定レポート指示が最終ビーコン・レポート指示を含む、
態様１０記載の報告局。
〔態様１６〕
前記最終ビーコン・レポート指示は、前記ビーコン・レポート応答の1の長さフィールドをもつ所与のサブ要素としてエンコードされる、態様１５記載の報告局。
〔態様１７〕
前記ビーコン・レポート応答における1の値をもつ前記所与のサブ要素は、前記最終ビーコン・レポート指示の存在を示し；
前記ビーコン・レポート応答における0の値をもつ前記所与のサブ要素は、前記最終ビーコン・レポート指示の不在を示す、
態様１６記載の報告局。
〔態様１８〕
データを無線通信する方法であって：
要求局において、最終測定レポート指示要求をもつ測定レポート要求を生成し；
前記要求局において、前記最終測定レポート指示要求と一緒に前記測定レポート要求を、無線管理フレーム内にエンコードし；
前記要求局から、エンコードされた無線管理フレームを送信することを含む、
方法。
〔態様１９〕
前記測定レポート要求がビーコン・レポート要求を含み；
前記最終測定レポート指示要求が最終ビーコン・レポート指示要求を含む、
態様１８記載の方法。
〔態様２０〕
前記ビーコン・レポート要求における1の値をもつ所与のサブ要素が、前記最終ビーコン・レポート指示要求の存在を示し、
前記ビーコン・レポート要求における0の値をもつ前記所与のサブ要素が、前記最終ビーコン・レポート指示要求の不在を示す、
態様１９記載の方法。
〔態様２１〕
報告局において、エンコードされた前記無線管理フレームを受信する段階と；
前記報告局において、受信された前記無線管理フレームから前記最終測定レポート指示要求をもつ測定レポート要求をデコードする段階と；
前記報告局において、デコードされた測定レポート要求に応答して一つまたは複数のパラメータを測定する段階と；
前記報告局において、前記一つまたは複数の測定されたパラメータを、一つまたは複数の無線管理フレームでの測定レポート応答の一つまたは複数のレポート要素内にエンコードする段階であって、前記一つまたは複数の無線管理フレームにおける所与のレポート要素は、前記一つまたは複数の無線管理フレームのうちの最後のものにおいては第一の値に設定され、前記一つまたは複数の無線管理フレームのうちの他のものにおいては第二の値に設定された最終測定レポート指示を含む、段階と；
前記報告局によって、エンコードされた一つまたは複数の無線管理フレームを送信する段階とをさらに含む、
態様２０記載の方法。
〔態様２２〕
前記測定レポートがビーコン・レポートを含み、
前記最終測定レポート指示が最終ビーコン・レポート指示を含み、ここで、1の値をもつ所与のサブ要素は、前記最終ビーコン・レポート指示の存在を示し、0の値は、前記最終ビーコン・レポート指示の不在を示す、
態様２１記載の方法。
〔態様２３〕
前記要求局において、前記一つまたは複数の無線管理フレームを受信する段階と；
前記要求局において、測定レポート応答を含む受信された一つまたは複数の無線管理フレームをデコードする段階であって、最終測定レポート指示が所与の測定レポート応答に含まれている、段階と；
前記要求局において、一つまたは複数の受信された測定レポート要素に基づいて、一つまたは複数の無線通信リンク上で通信するための一つまたは複数のパラメータを構成設定する段階とをさらに含む、
態様２２記載の方法。
〔態様２４〕
データを無線通信するよう構成された要求局であって、当該要求局は：
測定レポート応答期間要求と一緒に測定レポート要求を生成し、前記測定レポート応答期間要求と一緒に前記測定レポート要求を、無線管理フレーム内にエンコードするよう構成された一つまたは複数のプロセッサと；
エンコードされた無線管理フレームを送信するよう構成された送信器と；
前記一つまたは複数のプロセッサによって実行されたときに前記測定レポート要求の生成を含むデータリンク層制御を実装する一つまたは複数の命令およびデータを記憶するよう構成された一つまたは複数のメモリとを有する、
要求局。
〔態様２５〕
一つまたは複数の無線管理フレームを受信するための一つまたは複数の受信器をさらに有する、態様２４記載の要求局であって、
前記一つまたは複数のプロセッサはさらに、一つまたは複数の受信された無線管理フレームから、測定レポート応答の一つまたは複数のレポート要素内の一つまたは複数のパラメータをデコードするよう構成されており、
前記一つまたは複数のメモリが、デコードされた測定レポート応答を記憶するよう構成されている、
要求局。
〔態様２６〕
前記測定レポート要求がビーコン・レポート要求を含み；
前記測定レポート応答期間要求がビーコン・レポート応答期間要求を含む、
態様２５記載の要求局。
〔態様２７〕
前記ビーコン・レポート応答期間要求は、前記ビーコン・レポート要求の第一の所与のサブ要素としてエンコードされる、態様２６記載の要求局。
〔態様２８〕
前記第一の所与のサブ要素が、前記ビーコン・レポート応答期間要求の期間の数をエンコードする、態様２７記載の要求局。
〔態様２９〕
前記期間の数がクロックサイクルの数である、態様２８記載の要求局。
〔態様３０〕
前記一つまたは複数のプロセッサがさらに：
さらに、最終測定レポート指示要求と一緒に前記測定レポート要求を生成し；
さらに、前記最終測定レポート指示要求と一緒に前記測定レポート要求を、前記無線管理フレーム内にエンコードするよう構成されていることを含む、
態様２４記載の要求局。
〔態様３１〕
前記一つまたは複数のプロセッサがさらに、前記一つまたは複数の測定レポート応答を含む受信された一つまたは複数の無線管理フレームをデコードするよう構成されており、最終測定レポート指示が所与の測定レポート応答に含まれている、
態様２５記載の要求局。
〔態様３２〕
前記最終測定レポート指示要求が最終ビーコン・レポート指示要求を含む、
態様３１記載の要求局。
〔態様３３〕
前記最終ビーコン・レポート指示要求が、前記ビーコン・レポート要求の1の長さフィールドをもつ所与のサブ要素としてエンコードされる、態様３２記載の要求局。
〔態様３４〕
前記ビーコン・レポート要求における1の値をもつ前記第二の所与のサブ要素は、前記最終ビーコン・レポート指示要求の存在を示し；
前記ビーコン・レポート要求における0の値をもつ前記第二の所与のサブ要素は、前記最終ビーコン・レポート指示要求の不在を示す、
態様３３記載の要求局。
〔態様３５〕
データを無線通信するよう構成された報告局であって、当該報告局は：
無線管理フレームを受信するよう構成された一つまたは複数の受信器と；
一つまたは複数のプロセッサであって：
受信された前記無線管理フレームから測定レポート応答期間要求と一緒の測定レポート要求をデコードし、
デコードされた測定レポート要求に応答して一つまたは複数のパラメータを測定し、
前記一つまたは複数の測定されたパラメータを、一つまたは複数の無線管理フレームでの測定レポート応答の一つまたは複数のレポート要素内にエンコードするよう構成されている、プロセッサと；
前記一つまたは複数の測定されたパラメータを記憶するよう構成された一つまたは複数のメモリ・インターフェースと；
前記測定レポート応答期間要求の期間内に、エンコードされた一つまたは複数の無線管理フレームを送信するよう構成された一つまたは複数の送信器とを有する、
報告局。
〔態様３６〕
前記測定レポート要求がビーコン・レポート要求を含み、
前記測定レポート応答期間要求がビーコン・レポート応答期間要求を含む、
態様３５記載の報告局。
〔態様３７〕
前記一つまたは複数のプロセッサがさらに：
最終測定レポート指示要求と一緒に受信された測定レポート要求をデコードし、
前記一つまたは複数の測定されたパラメータを、前記一つまたは複数の無線管理フレームでの前記測定レポート応答の前記一つまたは複数のレポート要素内にエンコードするよう構成されており、前記一つまたは複数の無線管理フレームにおける所与のレポート要素は、前記一つまたは複数の無線管理フレームのうちの最後のものにおいては第一の値に設定され、前記一つまたは複数の無線管理フレームのうちの他のものにおいては第二の値に設定された最終測定レポート指示を含む、
態様３５記載の報告局。
〔態様３８〕
前記最終測定レポート指示が最終ビーコン・レポート指示を含む、
態様３８記載の報告局。
【図１】
0006949139.tif 000002
【図２Ａ】
0006949139.tif 000003
【図２Ｂ】
0006949139.tif 000004
【図３Ａ】
0006949139.tif 000005
【図３Ｂ】
0006949139.tif 000006
【図４Ａ】
0006949139.tif 000007
【図４Ｂ】
0006949139.tif 000008
【図４Ｃ】
0006949139.tif 000009